(57)【特許請求の範囲】
【請求項１】
建物天井部分に縦横同一平面で交差する横断面四辺形直棒状の梁木からなり水平上面を有する小屋梁を設定し、該縦横梁木の交点または中間点に屋根構造を支持する束柱を立設し、該縦横梁木に囲繞される複数の四辺形空間内に一枚の面板と該一枚の面板の表面に接着した一枚の断熱材とからなる二層構造の小屋梁パネルをそれぞれ嵌め込んだ構造であって、該束柱の平面形状は、一辺の長さを上記梁木巾に等しく設定した正方形状であり、該小屋梁パネルの面板の四辺は該断熱材の四辺から梁木巾の１／２巾で外出している耳部となり、該耳部の四隅角または中間点には各辺の巾を上記梁木巾の１／２に等しく設定した束柱貫通切欠きが設けられており、該断熱材は該小屋梁四辺形空間に適嵌する形状寸法に設定されており、該小屋梁パネルを該断熱材を下向きにして該小屋梁の各四辺形空間に嵌め込み、該小屋梁パネルの面板の耳部を該小屋梁の縦横梁木に支持固定せしめかつ該耳部の切欠きに束柱を貫通せしめた状態で、上記小屋梁パネルの断熱材と上記束柱とには隙間が生じないようにしたことを特徴とする屋根断熱構造。
【請求項２】
該小屋梁の縦横梁木の寸法および配置はＣＡＤによって作図され、該縦横梁木の寸法はＣＡＭによって加工され、それに対応して該小屋梁パネルの面板および断熱材の形状および寸法もＣＡＤによって作図され、ＣＡＭによって加工される請求項１に記載の屋根断熱構造。
【請求項３】
該小屋梁パネルの断熱材はプラスチック発泡体板である請求項１または２に記載の屋根断熱構造。
【請求項４】
該小屋梁の梁木は乾燥材または集成材からなる請求項１〜３のいずれか１項に記載の屋根断熱構造。
【発明の詳細な説明】
【技術分野】
【０００１】
本発明は屋根断熱構造に関するものである。
【背景技術】
【０００２】
従来の屋根断熱構造にあっては、図８に示すように小屋梁１３の縦横梁木１３Ａ，１３Ｂから吊木１４を垂下して野縁１５を支持し、該野縁１５下側に天井板１６を支持し、該天井板１６上にガラスウールあるいはロックウールからなる断熱材１７を敷設する構成が提供されている（特許文献１参照）。
【０００３】
【特許文献１】特許第３０６５５０５号公報
【０００４】
上記従来の屋根断熱構造にあっては、小屋梁１３の縦横梁木１３Ａ，１３Ｂに曲がりのある自然木を使用していたので、小屋梁１３の上面を水平に設定することは不可能であり、小屋梁１３に断熱材を張設することが困難であったので、上記したように天井板１６上に断熱材１７を敷設しているのである。
【発明の開示】
【発明が解決しようとする課題】
【０００５】
上記従来構成では、天井板１６上に断熱材１７を敷設しているから、吊木１４や野縁１５に干渉されて全面的に隙間なく断熱材１７を敷設することが出来ず、気密性の高い断熱構造を得ることが出来ない、と云う問題点があった。
更にガラスウールやロックウールは繊維細片が飛散して作業環境を悪化させるし、また水分によって腐食されると云う問題点もある。
【課題を解決するための手段】
【０００６】
本発明は上記従来の課題を解決するための手段として、建物１００天井部分に縦横同一平面で交差する横断面四辺形直棒状の梁木３Ａ，３Ｂからなり水平上面を有する小屋梁１０３を設定し、該縦横梁木３Ａ，３Ｂの交点または中間点に屋根構造を支持する束柱５を立設し、該縦横梁木３Ａ，３Ｂに囲繞される複数の四辺形空間６内に一枚の面板７Ａと該一枚の面板７Ａの表面に接着した一枚の断熱材７Ｂとからなる二層構造の小屋梁パネル７をそれぞれ嵌め込んだ構造であって、該束柱５の平面形状は、一辺の長さを上記梁木３Ａ，３Ｂ巾に略等しく設定した正方形状であり、該小屋梁パネル７の面板７Ａの四辺は該断熱材７Ｂの四辺から梁木３Ａ，３Ｂ巾の１／２巾で外出している耳部７Ｃとなり、該耳部７Ｃの四隅角または中間点には各辺の巾を上記梁木３Ａ，３Ｂ巾の１／２に等しく設定した束柱５貫通切欠き７Ｄが設けられており、該断熱材７Ｂは該小屋梁１０３四辺形空間６に適嵌する形状寸法に設定されており、該小屋梁パネル７を該断熱材７Ｂを下向きにして該小屋梁１０３の各四辺形空間６に嵌め込み、該小屋梁パネル７の面板７Ａの耳部７Ｃを該小屋梁１０３の縦横梁木３Ａ，３Ｂに支持固定せしめかつ該耳部７Ｃの切欠き７Ｄに束柱５を貫通せしめた状態で、上記小屋梁パネル７の断熱材７Ｂと上記束柱５とには隙間が生じないようにした屋根断熱構造を提供するものである。
該小屋梁１０３の縦横梁木３Ａ，３Ｂの寸法および配置はＣＡＤによって作図され、該縦横梁木３Ａ，３Ｂの寸法はＣＡＭによって加工され、それに対応して該小屋梁パネル７の面板７Ａおよび断熱材７Ｂの形状および寸法もＣＡＤによって作図され、ＣＡＭによって加工されることが好ましい。また該小屋梁パネル７の断熱材７Ｂはプラスチック発泡体板であることが好ましく、また該小屋梁１０３の梁木３Ａ，３Ｂは乾燥材または集成材からなることが好ましい。
【発明の効果】
【０００７】
〔作用〕
本発明では小屋梁１０３は水平上面を有するから小屋梁１０３の縦横梁木３Ａ，３Ｂに囲繞される複数の四辺形空間６内に面板７Ａと断熱材７Ｂとからなる小屋梁パネル７をそれぞれ嵌め込み、該小屋梁１０３から立設される束柱５を該小屋梁パネル７の面板７Ａの耳部７Ｃの切欠き７Ｄに貫通させた場合、該小屋梁パネル７の面板７Ａの耳部７Ｃは該小屋梁１０３の縦横梁木３Ａ，３Ｂの上面にぴったり当接させることが出来る。屋根工事等は上記のように小屋梁１０３に固定された小屋梁パネル７上に作業者が乗って安全に行なうことが出来る。
そして該小屋梁パネル７の断熱材７Ｂは、該小屋梁１０３の四辺形空間６に適嵌する形状寸法に設定されているから、断熱材７Ｂは全面的に隙間なく小屋梁１０３に設定することが出来、気密性の高い断熱構造が得られる（請求項１）。
該小屋梁１０３の縦横梁木３Ａ，３Ｂの寸法および配置はＣＡＤによって作図され、該縦横梁木３Ａ，３Ｂの寸法はＣＡＭによって加工され、それに対応して該小屋梁パネル７の面板７Ａと断熱材７Ｂの形状および寸法もＣＡＤによって作図され、ＣＡＭによって加工されると、該小屋梁１０３の四辺形空間６にぴったり嵌め込まれる断熱材７Ｂを有する高精度の小屋梁パネル７を簡単に加工することが出来る（請求項２）。
該小屋梁パネル７の断熱材７Ｂはプラスチック発泡体板であると気密性のあるまた耐久性のある断熱構造が得られ、また該プラスチック発泡体は実質的に環境を汚染しない（請求項３）。
該小屋梁の梁木は乾燥材または集成材からなると、横断面四辺形直棒状かつ上面水平な梁木３Ａ，３Ｂが容易に加工される（請求項４）。
【０００８】
〔効果〕
したがって本発明では気密効果、断熱効果の非常に高い屋根が提供され、また屋根工事も容易になる。
【発明を実施するための最良の形態】
【０００９】
本発明の一実施例を図１〜図７に示す。図１には建物躯体１００が示される。該建築躯体１００は土台１０１、壁躯体１０２、小屋梁１０３からなる。
該壁躯体１０２、小屋梁１０３はＣＡＤによって作図され、該壁躯体１０２や小屋梁１０３の要素である壁躯体柱２や小屋梁１０３の縦横梁木３Ａ，３Ｂは上記ＣＡＤによる作図にもとづいてＣＡＭにより所定の寸法に精度よく加工されている。
【００１０】
該小屋梁１０３の梁木３Ａ，３Ｂは乾燥材または集成材からなり上面は水平にされている。上記縦横の梁木３Ａ，３Ｂの交点においては、図２に示すように梁木３Ａの端部にはほぞ３１Ａが形成され、梁木３Ｂの両側にはほぞ溝３１Ｂ，３１Ｂが形成され、梁木３Ａのほぞ３１Ａを該梁木３Ｂのほぞ溝３１Ｂ，３１Ｂに嵌合することによって縦横梁木３Ａ，３Ｂの交点は同一平面内に設定され、かくして該小屋梁１０３の上面は水平（同一平面内）にされている。
【００１１】
上記小屋梁１０３の縦横梁木３Ａ，３Ｂの交点または中間所定位置には図３に示す母屋４Ａ、棟木４Ｂ、隅木４Ｃ、谷木４Ｄからなる屋根躯体１０４を支持する束柱５の複数本が立設されている。上記束柱５の平面形状は、一辺の長さを上記梁木３Ａ，３Ｂ巾に等しく設定した正方形状である。そして図４に示すように、該母屋４Ａ、棟木４Ｂに直交して垂木１０が取付けられる。
【００１２】
上記小屋梁１０３の縦横梁木３Ａ，３Ｂに囲繞される四辺形空間６には小屋梁パネル７が嵌め込まれる。図２に示すように、該小屋梁パネル７は一枚の面板７Ａと該一枚の面板７Ａの表面に接着される一枚の断熱材７Ｂとからなる二層構造を有しており、該面板７Ａの四辺は該断熱材７Ｂの四辺から外出して耳部７Ｃとなっており、該耳部７Ｃの巾は該梁木３Ａ，３Ｂの巾Ｗの１／２（Ｗ／２）に設定されている。そして該耳部７Ｃの四隅角および中間点には束柱を貫通する切欠き７Ｄが設けられている。
【００１３】
上記小屋梁パネル７の面板７Ａ、断熱材７Ｂの寸法、形状は該小屋梁１０３の四辺形空間６の寸法形状に適合するように該小屋梁１０３のＣＡＤによる作図からＣＡＭによって精度よく加工され、また該小屋梁パネル７の耳部７Ｃの切欠き７Ｄも上記ＣＡＤによる作図からＣＡＭによって精度よく加工される。
【００１４】
例えば、上記小屋梁パネル７は平面形状が正方形、矩形等にされ、図１に示す小屋梁１０３の場合には、該小屋梁１０３の四辺形空間６の形状寸法に合わせて、小屋梁パネル７の形状寸法はＡ，Ｂ，Ｃ，Ｄ，Ｅの５種類準備される。
【００１５】
上記小屋梁パネル７において、面板７Ａとしては、例えば合板、ハードボード、ＭＤＦ、ＵＳＢ、パーチクルボード、積層紙、プラスチック板、木質セメント板、石膏ボード、ケイ酸カルシウム板、ダイライト等の木質材、プラスチック板、無機質板等の作業者がその上に乗っても充分耐える曲げ強度を有するものが望ましい。また断熱材７Ｂとしてはグラスウールマット、ロックウールマット等の無機繊維マット、ポリスチレン発泡体板、ポリエチレン発泡体板、ポリプロピレン発泡体板、フェノール樹脂発泡体板、メラミン樹脂発泡体板、ウレタン樹脂発泡体板等のプラスチック発泡体板等が使用されるが、環境汚染のおそれのないプラスチック発泡体板の使用が望ましい。
【００１６】
上記小屋梁パネル７は、図５に示すように断熱材７Ｂを下にして小屋梁１０３の四辺形空間６に嵌め込まれる。そして面板７Ａの耳部７Ｃは縦横梁木３Ａ，３Ｂの上面にぴったり当接支持され、また耳部７Ｃの巾は縦横梁木３Ａ，３Ｂの巾Ｗの１／２（Ｗ／２）に設定されているから隣り合う小屋梁パネル７の面板７Ａの接続面は実質的に隙間がなく、また断熱材７Ｂの四辺を縦横梁木３Ａ，３Ｂの側面とも実質的に隙間なく接している。また該小屋梁１０３に立設される束柱５は、図６イ、ロに示すように上記小屋梁パネル７の面板７Ａの耳部７Ｃの切欠き７Ｄを貫通している。
【００１７】
上記したように該小屋梁パネル７の面板７Ａは高い曲げ強度を有するから、作業者はその上に乗って該小屋梁パネル７を該梁木３Ａ，３Ｂに釘８を打って固定する作業が出来る。
このようにして上記小屋梁１０３には隙間なく小屋梁パネル７が嵌め込まれ、気密性の高い断熱構造が形成される。
【００１８】
図７に示すように、上記束柱５に支持される母屋４Ａ間または母屋４Ａと棟木４Ｂ間には母屋ボード９が差渡され、垂木１０上には野地板１１が張設され、該野地板１１上に屋根材１２が葺設されて屋根が構築されるが、このような屋根工事も作業者は小屋梁パネル７の上に乗って安全に作業することが出来る。
【産業上の利用可能性】
【００１９】
本発明では、断熱効果の高い屋根が提供される。
【図面の簡単な説明】
【００２０】
図１〜図７は本発明の一実施例を示すものである。
【図１】建物躯体斜視図
【図２】小屋梁パネルと小屋梁の説明斜視図
【図３】建物躯体斜視図（屋根躯体付）
【図４】垂木を取付けた屋根躯体説明斜視図
【図５】小屋梁に小屋梁パネルを嵌め込んだ状態の側断面図
【図６】イ・ロ束柱立設部分の小屋梁パネルを嵌め込んだ状態の説明斜視図
【図７】屋根側断面図
【図８】従来の断熱構造の説明図
【符号の説明】
【００２１】
１００            建物躯体
１０１            土台
１０２            壁躯体
１０３            小屋梁
１０４            屋根躯体
３Ａ，３Ｂ        梁木
３１Ａ          ほぞ
３１Ｂ          ほぞ溝
４Ａ              母屋
４Ｂ              棟木
４Ｃ              隅木
４Ｄ              谷木
５                束柱
６                四辺形空間
７                小屋梁パネル
７Ａ            面板
７Ｂ            断熱材
７Ｃ            耳部
７Ｄ            切欠き
８                釘
９                母屋ボード
１０              垂木
１１              野地板
１２              屋根材
【図１】
0004746929.tif 000002
【図２】
0004746929.tif 000003
【図３】
0004746929.tif 000004
【図４】
0004746929.tif 000005
【図５】
0004746929.tif 000006
【図６】
0004746929.tif 000007
【図７】
0004746929.tif 000008
【図８】
0004746929.tif 000009